(57)【要約】  配置位置管理システム（５０）は、物品（２ａ）に設けた、第１識別コードを持つ第１ＲＦＩＣ素子（２０ａ）と、物品（２ａ）と対応する配置位置（４ａ）に設けた、第２識別コードを持つ第２ＲＦＩＣ素子（２０ｂ）と、リーダ（３２）と、コンピュータ（３３）と、を備え、物品（２ａ）には、第２ＲＦＩＣ素子（２０ｂ）に対応する第２アンテナ素子（１０ｂ）を設けてあり、配置位置（４ａ）には、第１ＲＦＩＣ素子（２０ａ）に対応する第１アンテナ素子（１０ａ）を設けてあり、物品（２ａ）を対応する配置位置（４ａ）に配置すると、第１ＲＦＩＣ素子（２０ａ）と第１アンテナ素子（１０ａ）とが接続され、且つ、第２ＲＦＩＣ素子（２０ｂ）と第２アンテナ素子（１０ｂ）とが接続され、リーダ（３２）で第１識別コードおよび第２識別コードの両方を読み取ることができた場合に、物品（２ａ）が対応する配置位置（４ａ）に配置されていると判断する。
2017217210.tif 000002
【特許請求の範囲】
【請求項１】
ＲＦＩＤシステムを用いて物品が対応する配置位置に配置されているか否かを判断する、配置位置管理システムであって、  物品に設けた、第１識別コードを持つ第１ＲＦＩＣ素子と、  前記物品と対応する配置位置に設けた、第２識別コードを持つ第２ＲＦＩＣ素子と、  前記配置位置におけるＲＦＩＤ通信を受信するリーダと、  前記リーダに接続されたコンピュータと、を備え、  前記物品には、前記第２ＲＦＩＣ素子に対応する第２アンテナ素子を設けてあり、  前記配置位置には、前記第１ＲＦＩＣ素子に対応する第１アンテナ素子を設けてあり、  前記物品を対応する配置位置に配置すると、前記第１ＲＦＩＣ素子と前記第１アンテナ素子とが接続され、且つ、前記第２ＲＦＩＣ素子と前記第２アンテナ素子とが接続され、  前記リーダで前記第１識別コードおよび前記第２識別コードの両方を読み取ることができた場合に、前記コンピュータによって前記物品が対応する前記配置位置に配置されていると判断する、配置位置管理システム。
【請求項２】
前記第１ＲＦＩＣ素子及び前記第２アンテナ素子は、前記物品を前記配置位置に配置するときの前記物品の配置面に設けられており、  前記第２ＲＦＩＣ素子及び前記第１アンテナ素子は、前記物品を前記配置位置に配置するときの前記物品の前記配置面に対応する前記配置位置の配置領域に設けられている、請求項１に記載の配置位置管理システム。
【請求項３】
前記第１ＲＦＩＣ素子及び前記第２ＲＦＩＣ素子は、第１及び第２コイルアンテナをそれぞれ内蔵しており、  前記第１アンテナ素子は、第１ループアンテナであって、前記第２アンテナ素子は、第２ループアンテナであって、  前記物品を対応する配置位置に配置すると、前記第１ＲＦＩＣ素子の前記第１コイルアンテナと前記第１ループアンテナとが磁界結合し、前記第２ＲＦＩＣ素子の前記第２コイルアンテナと前記第２ループアンテナとが磁界結合する、請求項１又は２に記載の配置位置管理システム。
【請求項４】
前記配置位置において、前記リーダで前記第１識別コードを読み取ったが、前記第２識別コードを読み取れなかった場合に、前記コンピュータで前記物品が対応する前記配置位置に配置されていないと判断し、  前記物品が対応する前記配置位置に配置されていないと判断した場合に、前記物品の前記第１識別コードに基づいて、前記物品の対応する配置位置を表示する、請求項１から３のいずれか一項に記載の配置位置管理システム。
【請求項５】
ＲＦＩＤシステムを用いて物品が対応する配置位置に配置されているか否かを判断する、配置位置管理方法であって、  前記物品に第１識別コードを持つ第１ＲＦＩＣ素子と、前記配置位置に前記第１ＲＦＩＣ素子に対応する第１アンテナ素子と、をそれぞれ設けると共に、前記配置位置に第２識別コードを持つ第２ＲＦＩＣ素子と、前記物品に前記第２ＲＦＩＣ素子に対応する第２アンテナ素子と、をそれぞれ設けておき、  前記物品を対応する配置位置に配置すると、前記第１ＲＦＩＣ素子と前記第１アンテナ素子とが接続され、且つ、前記第２ＲＦＩＣ素子と前記第２アンテナ素子とが接続され、  コンピュータに接続されたリーダで前記配置位置におけるＲＦＩＤ通信を受信し、前記リーダで前記物品の前記第１識別コードと前記物品に対応する前記配置位置の前記第２識別コードとの両方を読み取ることができた場合に、前記コンピュータで前記物品が対応する前記配置位置に配置されていると判断する、配置位置管理方法。
【請求項６】
前記配置位置において、前記リーダで前記第１識別コードを読み取ったが、前記第２識別コードを読み取れなかった場合に、前記物品が対応する前記配置位置に配置されていないと判断し、  前記物品が対応する前記配置位置に配置されていないと判断した場合に、前記物品の前記第１識別コードに基づいて、前記物品の対応する配置位置を表示する、請求項５に記載の配置位置管理方法。
【発明の詳細な説明】
【技術分野】
【０００１】  本発明は、ＲＦＩＤシステムを用いた物品の配置位置管理システム及び配置位置管理方法に関する。
【背景技術】
【０００２】  宝飾品等の物品が所定の場所に正しく返却されているか、をＲＦＩＤシステムを利用して管理する方法が知られている（例えば、特許文献１参照。）。この特許文献１では、宝飾品にＲＦＩＤタグを付しておき、陳列ケースにリーダを設けておく、といった管理システムが開示されている。この管理システムによれば、陳列ケースに宝飾品が設けられている否かを管理できる。
【先行技術文献】
【特許文献】
【０００３】
【特許文献１】特開２００９−１７５８９４号公報
【発明の概要】
【発明が解決しようとする課題】
【０００４】  しかし、上記方法では、宝飾品を陳列ケースのどこに置いてもＲＦＩＤタグをリーダで読み取ってしまうため、どの宝飾品をどの場所に置いたのかまでは管理できない。また、リーダ側アンテナの出力や指向性によっては陳列ケース外部の宝飾品を読み取ってしまうことがある。【０００５】  特に、店舗によっては、どの位置にどの宝飾品を置くのかがマニュアル等で定められていることがあるが、上記特許文献１に記載の管理方法では、これを管理することができない。たとえば、所定位置にそれぞれリーダを設けておけば、陳列ケース内でのロケーション管理も可能であるが、システムが複雑化、高コスト化してしまうという問題があった。【０００６】  本発明の目的は、配置する位置と関連付けて物品を管理できる物品の配置位置管理システム及び物品の配置位置管理方法を提供することである。
【課題を解決するための手段】
【０００７】  本発明に係る物品の配置位置管理システムは、ＲＦＩＤシステムを用いて物品が対応する配置位置に配置されているか否かを判断する、物品の配置位置管理システムであって、  物品に設けた、第１識別コードを持つ第１ＲＦＩＣ素子と、  前記物品と対応する配置位置に設けた、第２識別コードを持つ第２ＲＦＩＣ素子と、  前記配置位置におけるＲＦＩＤ通信を受信するリーダと、  前記リーダに接続されたコンピュータと、を備え、  前記物品には、前記第２ＲＦＩＣ素子に対応する第２アンテナ素子を設けてあり、  前記配置位置には、前記第１ＲＦＩＣ素子に対応する第１アンテナ素子を設けてあり、  前記物品を対応する配置位置に配置すると、前記第１ＲＦＩＣ素子と前記第１アンテナ素子とが接続され、且つ、前記第２ＲＦＩＣ素子と前記第２アンテナ素子とが接続され、  前記リーダで前記第１識別コードおよび前記第２識別コードの両方を読み取ることができた場合に、前記コンピュータによって前記物品が対応する前記配置位置に配置されていると判断する。【０００８】  本発明に係る物品の配置位置管理方法は、ＲＦＩＤシステムを用いて物品が対応する配置位置に配置されているか否かを判断する、物品の配置位置管理方法であって、  前記物品に第１識別コードを持つ第１ＲＦＩＣ素子と、前記配置位置に前記第１ＲＦＩＣ素子に対応する第１アンテナ素子と、をそれぞれ設けると共に、前記配置位置に第２識別コードを持つ第２ＲＦＩＣ素子と、前記物品に前記第２ＲＦＩＣ素子に対応する第２アンテナ素子と、をそれぞれ設けておき、  前記物品を対応する配置位置に配置すると、前記第１ＲＦＩＣ素子と前記第１アンテナ素子とが接続され、且つ、前記第２ＲＦＩＣ素子と前記第２アンテナ素子とが接続され、  コンピュータに接続されたリーダで前記配置位置におけるＲＦＩＤ通信を受信し、前記リーダで前記物品の前記第１識別コードと前記物品に対応する前記配置位置の前記第２識別コードとの両方を読み取ることができた場合に、前記コンピュータで前記物品が対応する前記配置位置に配置されていると判断する。
【発明の効果】
【０００９】  本発明に係る物品の配置位置管理システム及び物品の配置位置管理方法によれば、配置する位置と関連付けて物品を管理できる。
【図面の簡単な説明】
【００１０】
【図１】実施の形態１に係る物品の配置位置管理システムの構成を示す概略図である。
【図２Ａ】図１のＡ−Ａ方向からみた断面図である。
【図２Ｂ】図２Ａの物品を対応する配置位置に配置した場合の断面図である。
【図３】図１の配置位置管理システムを構成するコンピュータの物理的構成及び論理的構成を示すブロック図である。
【図４】図１のＲＦＩＣ素子とアンテナ素子との組み合わせの構成を示す概略断面図である。
【図５】図４のＲＦＩＣ素子の等価回路図である。
【図６】実施の形態１に係る物品の配置位置管理方法におけるテーブル作成時の物品と、物品と対応する配置位置との関係を示す概略図である。
【図７】実施の形態１に係る物品の配置位置管理方法におけるテーブル作成方法のフローチャートである。
【図８】実施の形態１に係る物品の配置位置管理方法を説明する概略図である。
【図９】実施の形態１に係る物品の配置位置管理方法のフローチャートである。
【図１０】実施の形態２に係る物品の配置位置管理システムにおける物品と物品に関連付けられ、ＲＦＩＣ素子及びアンテナ素子を有する札と、札を挿入するポケットとを示す概略図である。
【図１１Ａ】突部を有する札を挿入するための、ＲＦＩＣ素子及びアンテナ素子を有するポケットを示す概略図である。
【図１１Ｂ】台形状の札を挿入するための、ＲＦＩＣ素子及びアンテナ素子を有するポケットを示す概略図である。
【図１２】実施の形態３に係る物品の配置位置管理システムの構成を示す概略図である。
【図１３Ａ】図１２のＲＦＩＣ素子とアンテナ素子との組み合わせの構成を示す概略断面図である。
【図１３Ｂ】図１３ＡのＲＦＩＣ素子内のコイルアンテナの内部構成を示す分解斜視図である。
【図１４Ａ】図１３ＡのＲＦＩＣ素子とアンテナ素子とが磁界結合している場合の等価回路図である。
【図１４Ｂ】図１４Ａの場合のＲＦＩＣ素子とアンテナ素子のループ部との磁界結合の状態を示す模式図である。
【発明を実施するための形態】
【００１１】  第１の態様に係る物品の配置位置管理システムは、ＲＦＩＤシステムを用いて物品が対応する配置位置に配置されているか否かを判断する、物品の配置位置管理システムであって、  物品に設けた、第１識別コードを持つ第１ＲＦＩＣ素子と、  前記物品と対応する配置位置に設けた、第２識別コードを持つ第２ＲＦＩＣ素子と、  前記配置位置におけるＲＦＩＤ通信を受信するリーダと、  前記リーダに接続されたコンピュータと、を備え、  前記物品には、前記第２ＲＦＩＣ素子に対応する第２アンテナ素子を設けてあり、  前記配置位置には、前記第１ＲＦＩＣ素子に対応する第１アンテナ素子を設けてあり、  前記物品を対応する配置位置に配置すると、前記第１ＲＦＩＣ素子と前記第１アンテナ素子とが接続され、且つ、前記第２ＲＦＩＣ素子と前記第２アンテナ素子とが接続され、  前記リーダで前記第１識別コードおよび前記第２識別コードの両方を読み取ることができた場合に、前記コンピュータによって前記物品が対応する前記配置位置に配置されていると判断する。
【００１２】  第２の態様に係る配置位置管理システムは、上記第１の態様の構成において、前記第１ＲＦＩＣ素子及び前記第２アンテナ素子は、前記物品を前記配置位置に配置するときの前記物品の配置面に設けられており、  前記第２ＲＦＩＣ素子及び前記第１アンテナ素子は、前記物品を前記配置位置に配置するときの前記物品の配置面に対応する前記配置位置の配置領域に設けられていてもよい。
【００１３】  第３の態様に係る配置位置管理システムは、上記第１又は第２の態様の構成において、前記第１ＲＦＩＣ素子及び前記第２ＲＦＩＣ素子は、第１及び第２コイルアンテナをそれぞれ内蔵しており、  前記第１アンテナ素子は、第１ループアンテナであって、前記第２アンテナ素子は、第２ループアンテナであって、  前記物品を対応する配置位置に配置すると、前記第１ＲＦＩＣ素子の前記第１コイルアンテナと前記第１ループアンテナとが磁界結合し、前記第２ＲＦＩＣ素子の前記第２コイルアンテナと前記第２ループアンテナとが磁界結合してもよい。
【００１４】  第４の態様に係る配置位置管理システムは、上記第１から第３のいずれかの態様の構成において、前記配置位置において、前記リーダで前記第１識別コードを読み取ったが、前記第２識別コードを読み取れなかった場合に、前記コンピュータで前記物品が対応する前記配置位置に配置されていないと判断し、  前記物品が対応する前記配置位置に配置されていないと判断した場合に、前記物品の前記第１識別コードに基づいて、前記物品の対応する配置位置を表示してもよい。
【００１５】  第５の態様に係る物品の配置位置管理方法は、ＲＦＩＤシステムを用いて物品が対応する配置位置に配置されているか否かを判断する、物品の配置位置管理方法であって、  前記物品に第１識別コードを持つ第１ＲＦＩＣ素子と、前記配置位置に前記第１ＲＦＩＣ素子に対応する第１アンテナ素子と、をそれぞれ設けると共に、前記配置位置に第２識別コードを持つ第２ＲＦＩＣ素子と、前記物品に前記第２ＲＦＩＣ素子に対応する第２アンテナ素子と、をそれぞれ設けておき、  前記物品を対応する配置位置に配置すると、前記第１ＲＦＩＣ素子と前記第１アンテナ素子とが接続され、且つ、前記第２ＲＦＩＣ素子と前記第２アンテナ素子とが接続され、  コンピュータに接続されたリーダで前記配置位置におけるＲＦＩＤ通信を受信し、前記リーダで前記物品の前記第１識別コードと前記物品に対応する前記配置位置の前記第２識別コードとの両方を読み取ることができた場合に、前記コンピュータで前記物品が対応する前記配置位置に配置されていると判断する。
【００１６】  第６の態様に係る配置位置管理方法は、上記第５の態様の構成において、前記配置位置において、前記リーダで前記第１識別コードを読み取ったが、前記第２識別コードを読み取れなかった場合に、前記物品が対応する前記配置位置に配置されていないと判断し、  前記物品が対応する前記配置位置に配置されていないと判断した場合に、前記物品の前記第１識別コードに基づいて、前記物品の対応する配置位置を表示してもよい。
【００１７】  以下、実施の形態に係る物品の配置位置管理システム及びについて、添付図面を参照しながら説明する。なお、図面において実質的に同一の部材については同一の符号を付している。
【００１８】（実施の形態１）＜配置位置管理システム＞  図１は、実施の形態１に係る物品の配置位置管理システム５０の構成を示す概略図である。図２Ａは、図１のＡ−Ａ方向からみた断面図である。図２Ｂは、図２Ａの物品２ａを対応する配置位置４ａに配置した場合の断面図である。図３は、図１の配置位置管理システム５０を構成するコンピュータ３３の物理的構成及び論理的構成を示すブロック図である。
【００１９】  この実施の形態１に係る配置位置管理システム５０では、ＲＦＩＤシステムを用いて物品が対応する配置位置に配置されているか否かを判断する。この配置位置管理システム５０では、物品２ａに設けた、第１識別コードを持つ第１ＲＦＩＣ素子２０ａと、物品２ａと対応する配置位置４ａに設けた、第２識別コードを持つ第２ＲＦＩＣ素子２０ｂと、配置位置４ａにおけるＲＦＩＤ通信を受信するリーダ３２と、リーダ３２に接続されたコンピュータ３３と、を備える。また、物品２ａには、第２ＲＦＩＣ素子２０ｂに対応する第２アンテナ素子１０ｂを設けてある。さらに、配置位置４ａには、第１ＲＦＩＣ素子２０ａに対応する第１アンテナ素子１０ａを設けてある。そして、物品２ａを対応する配置位置４ａに配置すると、第１ＲＦＩＣ素子２０ａと第１アンテナ素子１０ａとが接続されて第１ＲＦＩＤタグ３０ａが構成される（図２Ｂ）。さらに、第２ＲＦＩＣ素子２０ｂと第２アンテナ素子１０ｂとが接続されて第２ＲＦＩＤタグ３０ｂが構成される（図２Ｂ）。これによって、第１識別コードおよび第２識別コードがそれぞれ読み取り可能になる。その結果、リーダ３２で第１識別コードおよび第２識別コードの両方を読み取ることができた場合に、コンピュータ３３によって上記物品２ａが対応する配置位置４ａに配置されていると判断することができる。
【００２０】  なお、物品２ａが対応する配置位置ではない配置位置４ｃに配置された場合には、物品２ａに付された第１ＲＦＩＣ素子２０ａの第１識別コードは読み取り可能になるが、配置位置４ａに付された第２ＲＦＩＣ素子２０ｂの第２識別コードは読み取りできない。一方、配置位置４ｃに配置されたＲＦＩＣ素子２０ｆの識別コードを読むことができるにすぎない。
【００２１】  本実施の形態に係る物品の配置位置管理システムによれば、１つのリーダ３２で、複数の物品２ａ〜２ｆと複数の配置位置４ａ〜４ｆを持った配置位置管理システムとして対応できる。また、店舗における商品管理や工程における冶工具管理など、様々な用途に利用できる。たとえば、陳列用トレイの配置位置４ａの上部に第１アンテナ素子１０ａ、第２ＲＦＩＣ素子２０ｂを配置しておき、物品である宝飾品収容箱２ａの下部に第１ＲＦＩＣ素子２０ａと、第２アンテナ素子１０ｂとを配置しておく。物品である宝飾品収容箱２ａが対応する配置位置４ａに正しく配置された場合には、リーダ３２にて、第１ＲＦＩＣ素子２０ａの識別コードと第２ＲＦＩＣ素子２０ｂの識別コードとの両方を読み取ることができる。これによって、物品である宝飾品収容箱２ａと、対応する配置位置４ａとを関連付けて管理することができる。
【００２２】  以下に、この配置位置管理システムを構成する構成部材について説明する。なお、本実施形態における配置位置管理システムはＵＨＦ帯ＲＦＩＤシステムを利用したものである。
【００２３】  ＜物品＞  物品２ａ〜２ｆは、配置位置４ａ〜４ｆに配置可能なものであればよい。また、物品２ａ〜２ｆには、配置位置４ａ〜４ｆに配置するときの物品２ａ〜２ｆの配置面（下面）３ａにＲＦＩＣ素子２０ａ、２０ｃ、２０ｅ、２０ｇ、２０ｉ、２０ｋ及びアンテナ素子１０ｂ、１０ｄ、１０ｆ、１０ｈ、１０ｊ、１０ｌをそれぞれ設けている。  物品２ａ、２ｂ、２ｃ、２ｄ、２ｅ、２ｆとしては、例えば、治具、工具、宝飾品、その他の物品であってもよい。  なお、実施の形態２で詳述するように、物品自体にＲＦＩＣ素子及びアンテナ素子を設けるのではなく、物品に関連付けられた部材、例えば札等にＲＦＩＣ素子及びアンテナ素子を設けてもよい。
【００２４】  ＜配置位置＞  配置位置４ａ〜４ｆは、物品２ａ〜２ｆを配置可能であればよい。配置位置４ａ〜４ｆには、物品２ａ〜２ｆを配置するときの物品の配置面３ａに対応する配置位置４ａ〜４ｆの配置領域（上面）４ａにＲＦＩＣ素子２０ｂ、２０ｄ、２０ｆ、２０ｈ、２０ｊ、２０ｌ及びアンテナ素子１０ａ、１０ｃ、１０ｅ、１０ｇ、１０ｉ、１０ｋをそれぞれ設けている。なお、ここでは、物品に対応する「配置位置」と、物品の配置面に対応する「配置領域」とを分けて示しているが、「配置位置」と「配置領域」とは実質的に同一である。
【００２５】  配置位置（配置領域）４ａ〜４ｆとしては、例えば、台座６（図１）の凹部、あるいは物品に関連付けられた札を収納するポケット８ａ、８ｂ（図１０、図１１Ａ、図１１Ｂ）等である。なお、配置位置は、上記図示したものに限定されない。配置位置（配置領域）は、例えば、フラットな面に設けられていてもよい。この場合には、配置領域として、物品の配置面に対応する領域を表示してもよい。これによって物品を配置領域に位置合わせしやすくなる。  また、配置位置（配置領域）は、図１、図２Ａ，図２Ｂでは平面として示しているが、これに限定されない。配置位置（配置領域）は、例えば、凹凸面を有していてもよい。また、曲面であってもよい。さらに、配置位置（配置領域）は、物品の外形状に合わせた形状であってもよい。例えば、実施の形態２におけるポケット８ａでは、札７に設けられた突部９ａに対応する突部９ｂを有する。そこで、札７が突部９ａをポケット８ａの突部９ｂに合わせるように挿入することで、札７をポケット８ａに収納できる。この場合、物品又は物品に関連付けられた部材を配置位置（配置領域）に位置合わせしやすくなる。
【００２６】  ＜ＲＦＩＣ素子＞  図４は、図１のＲＦＩＣ素子２０と第１及び第２放射素子１１、１２との組み合わせの構成を示す概略断面図である。図５は、図４のＲＦＩＣ素子２０の等価回路図である。  ＲＦＩＣ素子２０は、ＲＦＩＣチップ２１と、導電性接合材２２及び端子電極２３を介してＲＦＩＣチップ２１と接続された多層基板２５とを備える。ＲＦＩＣチップ２１は封止樹脂２４で封止されている。また、多層基板２５には、Ｌ１及びＬ２等のインダクタ用パターン及びＣ１、Ｃ２等のキャパシタ用パターンからなる給電回路が内蔵されている。ＣＩＣは、ＲＦＩＣチップ２１の浮遊容量である。給電回路によって共振回路が形成されており、その共振周波数はキャリア周波数に対応する。このように給電回路を設けることによって、第１及び第２放射素子の電気長が変化してもキャリア周波数の中心周波数は大きく変化しないようにすることができる。  つまり、初期状態での第１及び第２放射素子１１、１２の電気長を最大利得状態（２／λ）にあわせておけば、第１及び第２放射素子１１、１２の電気長が若干変化しても通信可能距離が低下するだけで、同じキャリア周波数で読み取りは可能である。
【００２７】  ＲＦＩＣ素子２０と第１及び第２放射素子１１、１２とは、例えば、図４ではＲＦＩＣ素子２０の端子電極２６ａによって第１放射素子１１と接続し、端子電極２６ｂによって第２放射素子と接続する直接接続によって接続されているがこれに限られない。ＲＦＩＣ素子２０と第１及び第２放射素子１１、１２とは、端子電極２６ａ、２６ｂによる直接接続だけでなく、たとえば、容量結合、磁界結合等のいずれの結合をしていてもよい。  なお、図４では、ＲＦＩＣ素子２０において、給電回路を内蔵する多層基板２５を設けているがこれに限られず、給電回路を設けない場合であってもよい。
【００２８】  物品２ａのＲＦＩＣ素子２０ａは、識別コードである固有ＩＤ（Ａｒｔｉｃｌｅ１−１）を持つ。物品２ｂのＲＦＩＣ素子２０ｃは、識別コードである固有ＩＤ（Ａｒｔｉｃｌｅ１−２）を持つ。物品２ｃのＲＦＩＣ素子２０ｅは、識別コードである固有ＩＤ（Ａｒｔｉｃｌｅ１−３）を持つ。物品２ｄのＲＦＩＣ素子２０ｇは、識別コードである固有ＩＤ（Ａｒｔｉｃｌｅ２−１）を持つ。物品２ｅのＲＦＩＣ素子２０ｉは、識別コードである固有ＩＤ（Ａｒｔｉｃｌｅ２−２）を持つ。物品２ｆのＲＦＩＣ素子２０ｌは、識別コードである固有ＩＤ（Ａｒｔｉｃｌｅ２−３）を持つ。
【００２９】  同様に、配置位置４ａのＲＦＩＣ素子２０ｂは、識別コードである固有ＩＤ（Ｌｏｃａｔｉｏｎ１−１）を持つ。配置位置４ｂのＲＦＩＣ素子２０ｄは、識別コードである固有ＩＤ（Ｌｏｃａｔｉｏｎ１−２）を持つ。配置位置４ｃのＲＦＩＣ素子２０ｆは、識別コードである固有ＩＤ（Ｌｏｃａｔｉｏｎ１−３）を持つ。配置位置４ｄのＲＦＩＣ素子２０ｈは、識別コードである固有ＩＤ（Ｌｏｃａｔｉｏｎ２−１）を持つ。配置位置４ｅのＲＦＩＣ素子２０ｊは、識別コードである固有ＩＤ（Ｌｏｃａｔｉｏｎ２−２）を持つ。配置位置４ｆのＲＦＩＣ素子２０ｌは、識別コードである固有ＩＤ（Ｌｏｃａｔｉｏｎ２−３）を持つ。
【００３０】  ＜アンテナ素子＞  アンテナ素子１０は、ＵＨＦ帯ＲＦＩＤタグ用のアンテナ素子を構成しており、第１放射素子１１及び第２放射素子１２によって構成される電界型アンテナである。第１放射素子１１及び第２放射素子１２は、ダイポールアンテナを構成しており、一組の細長矩形形状あるいは棒形状（バー形状）ダイポールエレメントを有する。第１放射素子１１及び第２放射素子１２は、それぞれ互いに異なる方向に延在している。具体的には、第１放射素子１１及び第２放射素子１２は、ＲＦＩＣ素子２０から互いに反対方向に延在している。  第１放射素子１１及び第２放射素子１２は、通常のアンテナ素子に用いられる銅箔、銅板、銅めっき膜、金箔、金板、金めっき膜等の材料を用いることができる。材料は上記の例に限られず、通常使用されるものであれば使用できる。
【００３１】  ＜リーダ＞  図１に示すリーダ３２は、例えばＵＨＦ帯ＲＦＩＤリーダ機能を有したスマートフォンあるいは専用のリーダ等であってもよい。なお、リーダ３２には受信用のアンテナ素子３１が接続されている。ＵＨＦ帯ＲＦＩＤシステムの場合、アンテナ素子３１は、例えばモノポールアンテナ、ダイポールアンテナ、パッチアンテナ等の電界型アンテナを利用できる。
【００３２】  ＜コンピュータ＞  コンピュータ３３は、図３のブロック図に示すように、物理的構成として、ＣＰＵ３４、メモリ３５、記憶部３６、表示部（ディスプレイ）３８等を有する。記憶部３６には、物品２ａ〜２ｆのうちの一つの識別コードと配置位置４ａ〜４ｆのうちの一つの識別コードとを一対として関連づける下記の表１に示すテーブル３７を格納している。
【００３３】
【表１】
2017217210.tif 000003
【００３４】  コンピュータ３３は、さらに、機能的構成部４０として、識別コード読み取り部４２、テーブル作成部４４、配置位置判断部４６を有する。物品２ａを対応する配置位置４ａに配置した状態で、物品２ａと対応する配置位置４ａとの間で２つのＲＦＩＤタグ３０ａ、３０ｂが構成される。第１ＲＦＩＤタグ３０ａは、物品２ａに付された第１ＲＦＩＣ素子２０ａと、配置位置４ａに付された第１アンテナ素子１０ａとによって構成される。第２ＲＦＩＤタグ３０ｂは、配置位置４ａに付された第２ＲＦＩＣ素子２０ｂと、物品２ａに付された第２アンテナ素子１０ｂとによって構成される。識別コード読み取り部４２は、第１ＲＦＩＤタグ３０ａとの通信によって第１ＲＦＩＣ素子２０ａから物品２ａの識別コードを読み取る。また、第２ＲＦＩＤタグ３０ｂとの通信によって第２ＲＦＩＣ素子２０ｂから配置位置４ａの識別コードを読み取る。
【００３５】  また、テーブル作成部４４によって、物品２ｉ（ｉ＝１〜ｎ）の識別コードと対応する配置位置４ｉ（ｉ＝１〜ｎ）の識別コードとを一対として関連付けるテーブル３７を作成する。  さらに、配置位置判断部４６によって、読み取った物品２ａの識別コードと配置位置４ａの識別コードとの組み合わせがテーブル３７に登録されているか判断し、物品が対応する配置位置に正しく配置されているかを決定する。  なお、コンピュータ３３の上記の機能的構成部４０は、物理的に実現してもよく、あるいは後述する配置位置管理方法をコンピュータ３３において実行可能なソフトウエアによって実現してもよい。
【００３６】  ＜ＲＦＩＣ素子とアンテナ素子との分割＞  この配置位置管理システム５０では、図２Ａに示すように、２つのＲＦＩＤタグ３０ａ、３０ｂをそのままの状態で含んでいるものではない。つまり、第１ＲＦＩＤタグ３０ａを構成する第１ＲＦＩＣ素子２０ａと第１アンテナ素子１０ａとが分割された構造で物品２ａと配置位置４ａとにそれぞれ配置されていることを特徴としている。また、第２ＲＦＩＤタグ３０ｂを構成する第２ＲＦＩＣ素子２０ｂと第２アンテナ素子１０ｂとが分割された構造で配置位置４ａと物品２ａとにそれぞれ配置されていることを特徴としている。
【００３７】  つまり、「第１ＲＦＩＣ素子２０ａ」は、物品２ａと配置位置４ａとを組み合わせたときの物品２ａの配置面に設けられている。「第１アンテナ素子１０ａ」は、物品２ａと配置位置４ａとを組み合わせたときの物品２ａの配置面３ａに対応する配置位置（配置領域）４ａに設けられている。「第２ＲＦＩＣ素子２０ｂ」は、物品２ａと配置位置４ａとを組み合わせたときの物品２ａの配置面３ａに対応する配置位置（配置領域）４ａに設けられている。「第２アンテナ素子１０ｂ」は、物品２ａと配置位置４ａとを組み合わせたときの物品２ａの配置面３ａに設けられている。
【００３８】  その結果、図２Ｂに示すように、物品２ａと配置位置４ａとを正しく組み合わせた場合のみ、物品２ａに設けられた第１ＲＦＩＣ素子２０ａと配置位置４ａに設けられた第１アンテナ素子１０ａとが電気的に接続可能となり、第１ＲＦＩＤタグ３０ａを構成する。その結果、ＲＦＩＤ通信が可能となる。同様に、配置位置４ａに設けられた第２ＲＦＩＣ素子２０ｂと物品２ａに設けられた第２アンテナ素子１０ｂとが電気的に接続可能となり、第２ＲＦＩＤタグ３０ｂを構成する。その結果、ＲＦＩＤ通信が可能となる。
【００３９】＜テーブル作成方法について＞  図６は、実施の形態１に係る物品の配置位置管理方法におけるテーブル作成時の物品と、物品と対応する配置位置との関係を示す概略図である。図７は、実施の形態１に係る物品の配置位置管理方法におけるテーブル作成方法のフローチャートである。（１）ｎ個の物品２ａ〜２ｆとそれぞれ対応する配置位置４ａ〜４ｆとを用意する（Ｓ０１）。図６の場合には、６個の物品２ａ〜２ｆと、台座６の上に６箇所の配置位置４ａ〜４ｆとを用意している。（２）変数ｉを１とする（ｉ＝１）（Ｓ０２）。変数ｉはテーブル作成時の変数であり、ｉに１を代入して初期化する。
【００４０】（３）ｉ番目の物品２ｉ（ｉ＝１〜ｎ）を対応する配置位置４ｉ（ｉ＝１〜ｎ）に配置し、その状態でｉ番目の物品２ｉ（ｉ＝１〜ｎ）と対応する配置位置との間で構成される２つのＲＦＩＤタグ３０ａ、３０ｂをリーダで読み取る（Ｓ０３）。具体的には、まず、物品２ａを配置位置４ａに配置し、この状態をリーダ３２にて読み取る。これによって、物品２ａに付した第１ＲＦＩＣ素子２０ａの第１識別コードである固有ＩＤ（Ａｒｔｉｃｌｅ１−１）と、配置位置４ａに付した第２ＲＦＩＣ素子２０ｂの第２識別コードである固有ＩＤ（Ｌｏｃａｔｉｏｎ１−１）とを読み取ることができる。なお、第１識別コード及び第２識別コードは、例えば、固有ＩＤであってもよい。（４）ｉ番目の物品２ｉ（ｉ＝１〜ｎ）の識別コードと対応する配置位置４ｉ（ｉ＝１〜ｎ）の識別コードとを一対として関連づけるテーブルを作成する（Ｓ０４）。具体的には、物品２ａの第１識別コードである固有ＩＤ（Ａｒｔｉｃｌｅ１−１）と、対応する配置位置４ａの第２識別コードである固有ＩＤ（Ｌｏｃａｔｉｏｎ１−１）とを一対として関連づけるテーブルを作成する。
【００４１】（５）次いで、全ての物品を配置したか、判断する（Ｓ０５）。全ての物品について対応する配置位置へ配置した場合には、全ての物品の識別コード（固有ＩＤ）と、それに対応する配置位置の識別コード（固有ＩＤ）とを対応させたテーブル作成が完了しているので、終了する。（６）一方、全ての物品について配置を完了していない場合には、変数ｉを一つ進める（ｉ＝ｉ＋１）。具体的には変数ｉをインクリメントして、次の物品について配置するためのステップＳ０３に戻る。例えば、次に、物品２ａを配置位置４ａから外し、物品２ｂを配置位置４ｂに配置して、この状態をリーダ３２にて読み取る。なお、次の物品を登録するとき、前の物品をわざわざ外さなくてもよい。  以上の各ステップによって、各物品２ｉ（ｉ＝１〜ｎ）について対応する配置位置４ｉ（１〜ｎ）への配置と、行うことで、物品の識別コードと、その物品に対応する配置位置の識別コードとの正しい組み合わせの関係（固有ＩＤの組）を登録した下記の表２に示すテーブルを作成できる。
【００４２】
【表２】
2017217210.tif 000004
【００４３】  なお、このテーブル作成方法では、各物品を対応する配置位置にそれぞれ配置して、物品の配置位置への配置によって構成される２つのＲＦＩＤタグとのＲＦＩＤ通信によって得られる２つの識別コードを一対として関連づけてテーブルを作成している。しかし、テーブルの作成方法は、上記方法に限られない。例えば、ＲＦＩＤ通信によらず、物品の識別コードと配置位置の識別コードとを関連付けたデータを用いてテーブルを作成してもよい。また、新たに上記のテーブル作成方法を実行することで作成済みのテーブルを更新してもよい。
【００４４】＜配置位置管理方法＞  図８は、実施の形態１に係る物品の配置位置管理方法を説明する概略図である。図９は、実施の形態１に係る物品の配置位置管理方法のフローチャートである。（１）配置位置４ｉ（ｉ＝１〜ｎ）について、配置された物品２ｉ（ｉ＝１〜ｎ）と配置位置４ｉ（ｉ＝１〜ｎ）との間で構成される２つのＲＦＩＤタグ３０ａ、３０ｂをリーダ３２で読み取る（Ｓ１１）。例えば、図８の場合には、リーダ３２において、物品２ｃの識別コードである固有ＩＤ（Ａｒｔｉｃｌｅ１−３）と、配置位置４ｃの識別コードである固有ＩＤ（Ｌｏｃａｔｉｏｎ１−３）と、物品２ｆの識別コードである固有ＩＤ（Ａｒｔｉｃｌｅ２−３）と、配置位置４ｆの識別コードである固有ＩＤ（Ｌｏｃａｔｉｏｎ３２−３）がすでに読み取られている。
【００４５】  ここで、物品２ａを配置位置４ａに配置した場合、さらに、物品２ａの識別コードである固有ＩＤ（Ａｒｔｉｃｌｅ１−１）と、配置位置４ａの識別コードである固有ＩＤ（Ｌｏｃａｔｉｏｎ１−１）との両方が読取り可能になる。この場合、物品２ａを配置位置４ａに配置した場合に、第１ＲＦＩＤタグ３０ａと第２ＲＦＩＤタグ３０ｂとはほぼ同時に構成されるので、物品２ａの識別コードと配置位置４ａの識別コードとは、実質的に同時に読み取り可能になる。実際の読み取りでは、ハードウエア及びソフトウエアでのタイムラグによって２つの識別コードの読み取りには若干の時間的ずれを生じる場合がある。そこで、２つの識別コードの読み取りに時間差がある場合にも、タイムラグによるものであると判断された場合には実質的に同時に読み取りが行われたと扱うことができる。
【００４６】（２）物品の識別コードと配置位置の識別コードとの組み合わせはテーブルに登録されているか判断する（Ｓ１２）。図８の場合には、物品２ａを配置位置４ａに配置することで新たに読み取り可能となった物品２ａの識別コードである固有ＩＤと、配置位置４ａの識別コードである固有ＩＤとの組み合わせがテーブルに登録されているか判断する。  なお、物品２ｃの識別コードである固有ＩＤ（Ａｒｔｉｃｌｅ１−３）と、配置位置４ｃの識別コードである固有ＩＤ（Ｌｏｃａｔｉｏｎ１−３）と、物品２ｆの識別コードである固有ＩＤ（Ａｒｔｉｃｌｅ２−３）と、配置位置４ｆの識別コードである固有ＩＤ（Ｌｏｃａｔｉｏｎ３２−３）は、あらかじめ読み取り可能となっている。
【００４７】（３）物品の識別コードと配置位置の識別コードとの組み合わせがテーブルに登録されている場合（Ｓ１２にてＹＥＳ）には、物品は対応する正しい配置位置に配置されていると判断する（Ｓ１３）。具体的には、物品２ａの識別コードである固有ＩＤ（Ａｒｔｉｃｌｅ１−１）と、配置位置４ａの識別コードである固有ＩＤ（Ｌｏｃａｔｉｏｎ１−１）と、の組み合わせが上記テーブルに登録されている。そこで、物品２ａは、対応する配置位置４ａに配置されていると判断できる。
【００４８】（４）一方、物品の識別コードと配置位置の識別コードとの組み合わせがテーブルに登録されていない場合（Ｓ１２にてＮＯ）には、物品は誤った配置位置に配置されていると判断する（Ｓ１４）。例えば、物品２ａを配置位置４ｂに配置した場合、物品２ａの識別コードである固有ＩＤ（Ａｒｔｉｃｌｅ１−１）と配置位置４ｂの識別コードである固有ＩＤ（Ｌｏｃａｔｉｏｎ１−２）とが新たに読み取られる。この固有ＩＤの組は、あらかじめ上記テーブルに登録された組のいずれとも一致しない。よって、物品２ａは、対応する配置位置４ａではなく、誤った配置位置４ｂに配置されたと判断される。（５）この場合、表示部（ディスプレイ）３８によって、物品の正しい配置位置を表示しする（Ｓ１５）。例えば、「物品２ａは、対応する配置位置４ａに配置してください」旨の表示を出してもよい。なお、表示に代えて、単にアラームを出してもよい。  その後、各配置位置について、配置される物品と配置位置との間で構成される２つのＲＦＩＤタグをリーダ３２で読み取るステップ（Ｓ１１）に戻る。つまり、図８の場合には常時読み取りを行っている。これによって、読み取り可能になった固有ＩＤの組を特定できる。  以上の物品の配置位置管理方法によって、配置する位置と関連付けて物品を管理できる。  なお、この配置位置管理方法は、上述のようにコンピュータ３３上で実行可能なソフトウエアによって実現することができる。
【００４９】（実施の形態２）  図１０は、実施の形態２に係る物品の配置位置管理システムにおける物品２ｇと物品２ｇに関連付けられ、ＲＦＩＣ素子２０ａ及びアンテナ素子１０ｂを有する札７と、札７を挿入するポケット８ａとを示す概略図である。図１１Ａは、突部９ａを有する札７を挿入するための、ＲＦＩＣ素子２０ｂ及びアンテナ素子１０ａを有するポケット８ａを示す概略図である。図１１Ｂは、台形状の札（図示せず）を挿入するための、ＲＦＩＣ素子２０ｂ及びアンテナ素子１０ａを有するポケット８ｂを示す概略図である。
【００５０】  実施の形態２に係る物品の配置位置管理システムでは、実施の形態１に係る物品の配置位置管理システムと対比すると、物品２ｇ自体ではなく、物品２ｇに関連付けられた部材、例えば、札７にＲＦＩＣ素子２０ａ及びアンテナ素子１０ｂを設けている点で相違する。これによって、物品２ｇが小さいか、あるいはその形状のためにＲＦＩＣ素子及びアンテナ素子を設けることができない場合にも、物品２ｇに関連付けられた部材にＲＦＩＣ素子及びアンテナ素子を設けることができる。また、実施の形態１に係る物品の配置位置管理システムでは台座６の上に複数の配置位置４ａ〜４ｆを設けていたが、この実施の形態２では、図１０に示すように、台座６ａの上に札７を挿入するポケット８ａを配置位置として設けている点で相違する。
【００５１】  ポケット８ａでは、図１１Ａに示すように、札７に設けられた突部９ａに対応する突部９ｂを有する。そこで、札７が突部９ａをポケット８ａの突部９ｂに合わせるように挿入することで、札７をポケット８ａに収納できる。この場合、物品又は物品に関連付けられた部材を配置位置（配置領域）に位置合わせしやすくなる。  また、ポケット８ｂでは、図１１Ｂに示すように、逆台形形状（上辺が下辺より長い台形）を有している。そこで、このポケット８ｂには、逆台形形状の札（図示せず）を挿入できるが、それ以外の形状の札を挿入できない。つまり、ポケット８ｂは、特定の形状を有する札のみ挿入でき、札に対する選択性を有する。
【００５２】  実施の形態２に係る物品の配置位置管理システムによれば、物品２ｇに関連付けられた部材としての札７と、その札７を収納する配置位置としてのポケット８ａ、８ｂとによって、物品２ｇと対応するポケット８ａ、８ｂとを関連付けて間接的に管理できる。
【００５３】（実施の形態３）  図１２は、実施の形態３に係る物品の配置位置管理システム５０ａの構成を示す概略図である。図１３Ａは、図１２のＲＦＩＣ素子１８とアンテナ素子であるループアンテナ１４との組み合わせの構成を示す概略断面図である。図１３Ｂは、図１３ＡのＲＦＩＣ素子内のコイルアンテナ２８の内部構成を示す分解斜視図である。  実施の形態３に係る物品の配置位置管理システム５０ａは、実施の形態１に係る物品の配置位置管理システムと対比すると、ＲＦＩＣ素子１８ａ〜１８ｌがコイルアンテナ２８を内蔵している点で相違する。また、アンテナ素子がダイポールアンテナではなくループアンテナ１４ａ〜１４ｌである点で相違する。このようにコイルアンテナ２８を内蔵するＲＦＩＣ素子１８ａ〜１８ｌとループアンテナ１４ａ〜１４ｌとの組み合わせによっても実施の形態１と同様の効果を奏することができる。
【００５４】  このコイルアンテナ２８を内蔵しているＲＦＩＣ素子１８は、図１３Ａに示すように、ＲＦＩＣチップ２１と、複数のシート５１ａ〜５１ｅを積層して構成されたコイルアンテナ２８とを備える。コイルアンテナ２８は、図１３Ｂに示すように、誘電体又は磁性体のシート５１ｃ〜５１ｅ上に形成されたコイル用導体パターン６３ａ〜６３ｃを積層してビアホール導体６４ａで接続してコイル状に巻回して構成されている。コイルアンテナ２８のそれぞれの一端は、はんだバンプ６１ａ、６１ｂを介してＲＦＩＣチップ２１の入出力端子電極に電気的に接続されている。
【００５５】  図１４Ａは、ＲＦＩＣ素子１８とループアンテナ１４とが磁界結合している場合の等価回路図である。図１４Ｂは、図１４Ａの場合のＲＦＩＣ素子１８のコイルアンテナ２８とループアンテナ１４のループ部１６との磁界結合の状態を示す模式図である。  なお、この実施の形態においては、ＲＦＩＣ素子１８は、前記実施の形態におけるＲＦＩＣ素子２０と同様の構成を有する。ただし、本実施の形態におけるＲＦＩＣ素子１８は、多層基板２５に相当する構成を有していない。また、ループアンテナ１４は、例えば針金状の金属線の中央部分をループ状に形成し、両端側を互いに反対方向に伸びる開放端とした構成を有する。  図１４Ａ及び図１４Ｂに示すように、ＲＦＩＣ素子１８のコイルアンテナ２８とループアンテナ１４のループ部１６との軸を平行又は同軸に合わせることによって、コイルアンテナ２８とループアンテナ１４のループ部１６とを磁力線１７が貫き、磁界結合させることができる。なお、この場合のＲＦＩＣ素子１８にはＲＦＩＣチップ２１の浮遊容量ＣＩＣ以外の容量は含まない。また、ループアンテナ１４は、ループ部１６から両側に互いに反対方向に向かって放射部が延在している。
【００５６】  なお、上記実施の形態におけるＲＦＩＤタグはパッシブ型であるが、これに限られず、電池又は電源を有するアクティブ型であってもよい。
【００５７】  なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００５８】  本発明に係る物品の配置位置管理システムによれば、配置する位置と関連付けて物品を管理できるので、複数の物品と複数の配置位置を持った配置位置管理システムとして有用である。
【符号の説明】
【００５９】２、２ａ、２ｂ、２ｃ、２ｄ、２ｅ、２ｆ、２ｇ  物品３ａ、３ｂ  配置面４，４ａ、４ｂ、４ｃ、４ｄ、４ｅ、４ｆ、４ｇ  配置位置（ロケーション、配置領域）６、６ａ  台座７  札８ａ、８ｂ  ポケット９ａ、９ｂ  突部１０ａ、１０ｂ、１０ｃ、１０ｄ、１０ｅ、１０ｆ、１０ｇ、１０ｈ、１０ｉ、１０ｊ、１０ｋ、１０ｌ  アンテナ素子１１ａ、１１ｂ、１１ｃ、１１ｄ、１１ｅ、１１ｆ、１１ｇ、１１ｈ、１１ｉ、１１ｊ、１１ｋ、１１ｌ  第１放射素子１２ａ、１２ｂ、１２ｃ、１２ｄ、１２ｅ、１２ｆ、１２ｇ、１２ｈ、１２ｉ、１２ｊ、１２ｋ、１２ｌ  第２放射素子１４、１４ａ、１４ｂ、１４ｃ、１４ｄ、１４ｅ、１４ｆ、１４ｇ、１４ｈ、  ループアンテナ１６  ループ部１７  磁力線１８、１８ａ、１８ｃ、１８ｄ、１８ｅ、１８ｆ、１８ｇ、１８ｈ、１８ｉ、１８ｊ、１８ｋ、１８ｌ  ＲＦＩＣ素子２０  ＲＦＩＣ素子２０ａ、２０ｂ、２０ｃ、２０ｄ、２０ｅ、２０ｆ、２０ｇ、２０ｈ、２０ｉ、２０ｊ、２０ｋ、２０ｌ  ＲＦＩＣ素子２１  ＲＦＩＣチップ２２  導電性接合材２３  端子電極２４  封止樹脂２５  多層基板２６ａ、２６ｂ  端子電極２８  コイルアンテナ３０  ＲＦＩＤタグ３０ａ  第１ＲＦＩＤタグ３０ｂ  第２ＲＦＩＤタグ３１  アンテナ素子３２  リーダ３３  コンピュータ３４  ＣＰＵ３５  メモリ３６  記憶部３７  テーブル３８  表示部（ディスプレイ）４０  機能的構成部４２  識別コード読み取り部４４  テーブル作成部４６  配置位置判断部５０、５０ａ  配置位置管理システム５１ａ、５１ｂ、５１ｃ、５１ｄ、５１ｅ  シート６１ａ、６１ｂ  はんだバンプ６４ａ  ビアホール導体
【図１】
2017217210.tif 000005
【図２Ａ】
2017217210.tif 000006
【図２Ｂ】
2017217210.tif 000007
【図３】
2017217210.tif 000008
【図４】
2017217210.tif 000009
【図５】
2017217210.tif 000010
【図６】
2017217210.tif 000011
【図７】
2017217210.tif 000012
【図８】
2017217210.tif 000013
【図９】
2017217210.tif 000014
【図１０】
2017217210.tif 000015
【図１１Ａ】
2017217210.tif 000016
【図１１Ｂ】
2017217210.tif 000017
【図１２】
2017217210.tif 000018
【図１３Ａ】
2017217210.tif 000019
【図１３Ｂ】
2017217210.tif 000020
【図１４Ａ】
2017217210.tif 000021
【図１４Ｂ】
2017217210.tif 000022
【国際調査報告】
2017217210.tif 000023
2017217210.tif 000024